(57)【要約】【課題】簡易な構成で、かつ、比較的安価に、補助工法の施工を確保することを可能としたトンネル内足場を提供すること。【解決手段】トンネルＴの内面の中間高さに仮設されたブラケット３１，３１と、ブラケット３１，３１の間に架設された梁３３と、トンネルＴの上部に取り付けられた梁３３の中間部を支持する吊材３４と、梁３３の上に敷設された足場材３５と、を備えたこと。【選択図】図１
2020111874.tif 000002
【特許請求の範囲】
【請求項１】
トンネル内面の中間高さに仮設されたブラケットと、
前記ブラケット間に架設された梁と、
トンネル上部に取り付けられた前記梁の中間部を支持する吊材と、
前記梁の上に敷設された足場材と、を備えたトンネル内足場。
【発明の詳細な説明】
【技術分野】
【０００１】
本発明は、建設工事に用いられるトンネル内の仮設作業足場に関する。
【背景技術】
【０００２】
シールド工法におけるトンネル工事のうち、特に道路トンネルでは、緊急時の避難や点検を目的として、併設する上下線トンネルの一部を切開き、互いを横坑で接続するＵターン路や連絡道等が施工される。これらは一般に、地中内を非開削で行われるため、薬液注入工法やパイプルーフ等の補助工法を併用して、トンネル間の止水及び支保を確保する。この場合、補助工法の施工に必要な推進装置や薬液注入装置といった設備類を仮置きする足場が必要になるが、こうした横坑は、トンネル工事区間内に所定の間隔で複数設けられるため、横坑工事に補助工法施工のための諸設備を仮置きするための仮設足場を先行して架設すると、トンネル内を走行可能な大型の仮設台車（例えば、鉄筋台車、型枠台車、床版設置台車等）を必要とする側壁や床版の設置工事の障害になり得る。
そこで従来は、このような台車が全て通過した後に、仮設足場を設置して施工を行ってきた。
特許文献１，２には、トンネル工事における移動足場が開示されているが、これらはいずれもトンネル下部に施工されたインバートもしくは枕木に設置されたレール上を走行する形態であり、前記の仮設台車との干渉は免れない。
【先行技術文献】
【特許文献】
【０００３】
【特許文献１】特開２００１−４８０１２号公報
【特許文献２】特開２００８−３８３６４号公報
【発明の概要】
【発明が解決しようとする課題】
【０００４】
本発明は、補助工法の施工を確保することを可能としたトンネル内仮設足場を提供することを課題とする。
【課題を解決するための手段】
【０００５】
前記課題を解決するための本発明のトンネル内仮設足場は、トンネル内面の中間高さに仮設されたブラケットと、前記ブラケット間に架設された梁と、トンネル上部に取り付けられた前記梁の中間部を支持する吊材と、前記梁の上に敷設された足場材と、を備えたことを特徴とする。
【発明の効果】
【０００６】
本発明のトンネル内仮設足場をトンネルの上部に設けたことにより、簡易な構成で、かつ比較的安価に、補助工法の施工を確保することを可能にする。
【図面の簡単な説明】
【０００７】
【図１】薬液注入機材を載置した本発明のトンネル内仮設足場を示すトンネル断面図である。
【図２】パイプルーフ設置機材を載置した本発明のトンネル内仮設足場を示すトンネル断面図である。
【発明を実施するための形態】
【０００８】
以下に、本発明の実施形態について、図面を参照しながら説明する。
図１に薬液注入機材を載置した本発明のトンネル内仮設足場を示す。
本実施形態におけるトンネル内仮設足場３は、地盤Ｇ内に構築された円形トンネルＴの外殻を形成する複数のセグメントピースからなる覆工１内面の幅方向に横架するように架渡された梁材３３と、梁材３３の上面に敷き詰められた足場材３５とによって構成され、梁材３３の両端は覆工１の内面に固定されたブラケット３１，３１から支持され、梁材３３の略中央部を覆工１の内面から吊り下ろされた吊材３４に固定されている。
【０００９】
ブラケット３１は、複数のＬ形鋼材（アングル材）を組み合わせ、溶接により一体に加工されており、覆工１の内面の曲率に沿って密着する支持材と、該支持材の頂部に水平に覆工１の内面側に張出すようにその一端を固定された水平材と、該水平材の他端と該支持材の下方に固定された杖材とによってトラス形状に形成されており、山留支保工の腹起しを載置する際に用いるブラケットと同様の形態である。ブラケット３１は、覆工１を形成するセグメントピース内に埋設されたインサートにボルトを介して覆工１に螺着、固定されている。
ブラケット３１，３１・・・は、トンネルＴの軸方向に対しても、間隔を開けて配置され、ブラケット３１，３１・・・の上面を架渡すようにＨ形鋼材である側部根太材３２がトンネル軸方向に載置され、固定されている。
【００１０】
次に、Ｈ形鋼材からなる梁材３３は、左右の側部根太材３２，３２上面に架渡されるように、直交方向（トンネルＴの断面方向）に配置され、側部根太材３２，３２間に固定されている。本実施形態における梁材３３は、トンネルＴの略中央で、２本の梁上段材３３１、梁下段材３３２が上下方向に重なるように配置されている。梁上段材３３１と梁下段材３３２は、Ｈ形鋼材からなる高さ調整材３３３を介して一体に固定されている。
【００１１】
次に、Ｈ形鋼材から構成される吊材３４は、孤材３４１と上部根太材３４２と柱材３４４及び下部根太材３４３を具備する。孤材３４１は、覆工１の上部略中央にトンネルＴの断面方向に覆工１の内面に沿って密着するように、不図示のセグメントに埋設されたインサートにボルトで固定されている。孤材３４１，３４１・・・は、トンネルＴの軸方向に所定の間隔を開けて複数設置されており、上部根太材３４２がトンネルＴの軸方向に、孤材３４１，３４１・・・の下面に密着するように固定されている。トンネルＴの平面視で上部根太材３４２に重なるように、下部根太材３４３が梁上段材３３１の上面に固定されている。また、鉛直に配置された柱材３４４は、上部根太材３４２の下面及び下部根太材３４３の上面に固定されている。
【００１２】
さらに、足場板３５は、梁材３３の上面に敷き詰められ足場が形成される。
足場板３５は、既成品として一般に流通している鋼製の足場板を主として用いるが、端部等に生じる隙間については、必要に応じて鋼板等を加工して養生する。
【００１３】
このトンネル内仮設足場構造３は、例えば、図示されるように覆工１のインバート部に形成された軌条設備２上をトンネルＴの軸方向に走行する側壁型枠台車Ｆ等の大型台車の往来に干渉しないように、側壁型枠台車Ｆよりも高い位置に配置することで、トンネル内仮設足場３上で行われる作業と、トンネル足場構造３の下方で行われる作業を安全かつ確実に分離することが可能になる。これにより、トンネルＴ内で複数の作業を並行して行うことが可能になり、工事全体の工程短縮を図れる。
同図のトンネル内仮設足場３上では、間隔を開けて併設された別なトンネルとの接続工事のための止水用の薬液注入に必要な施工設備等Ｍを配置しながら、覆工１の内部から外部に向かって複数の薬液注入管Ｒ，Ｒ・・・を打設、注入作業をすることができる。
【００１４】
図２にパイプルーフ設置機材を載置した本発明のトンネル内仮設足場を示す。図１の薬液注入と同様に、トンネル内仮設足場３上に設置したパイプルーフを設置するための推進装置等の施工設備等Ｍを用いて、覆工１の内部から併設された別なトンネルに向かって複数のパイプルーフＰ，Ｐ・・・が打設することができる。
トンネル内仮設足場３の形態は、その下方を通過する側壁型枠台車Ｆ等の大型台車の障害にならない範囲で、高さ等を変更することで、トンネル内仮設足場３上で行われる各種作業に必要な内空を確保することが可能になる。
【００１５】
以上より、本実施形態に係るトンネル内仮設足場は構成が簡易であるので安価であり、係る足場の下方で行われる施工を止めることなく足場上部の補助工法の施工を可能にする。
【００１６】
以上、本発明の実施形態について説明したが、本発明は前記の実施形態に限られず、本発明の趣旨を逸脱しない範囲で適宜変更が可能である。
例えば、セグメントはコンクリート系ではなく鋼製セグメントでも良い。この場合、縦リブ等の仮設部材への溶接やボルト固定がインサートに代替される。また、上下段に分割された梁材を適用したが、１本ものでも良い。さらにトンネル形状は円形に係わらず、矩形や馬蹄形でも良い。
【００１７】
以上、本発明の実施形態について説明したが、本発明は前記の実施形態に限られず、本発明の趣旨を逸脱しない範囲で適宜変更が可能である。
【符号の説明】
【００１８】
Ｇ          地盤
Ｔ          トンネル
Ｆ          側壁型枠台車
Ｒ          薬液注入管
Ｐ          パイプルーフ
Ｍ          施工設備等
１          覆工
２          軌条設備
３          トンネル内仮設足場
３１        ブラケット
３２        側部根太材
３３        梁材
３３１      梁上段材
３３２      梁下段材
３３３      高さ調整材
３４        吊材
３４１      孤材
３４２      上部根太材
３４３      下部根太材
３４４      柱材
３５        足場板
【図１】
2020111874.tif 000003
【図２】
2020111874.tif 000004